(57)【要約】      （修正有）【課題】内容物が外部に漏れる可能性が低い上に製造が簡易で安価であるフレキシブルコンテナを提供する。【解決手段】外袋２と内袋３との二重構造からなる。外袋２は、筒状の外袋本体部１０と、中央部分に開口部を有する上面部１１と、上面部１１の開口部に連通するように配置される筒状投入部１４と、中央部分に開口部を有する下面部１５と、下面部１５の開口部に連通するように配置される筒状排出部１８とからなる。内袋３は、筒状をなし、内袋３の一端は、筒状投入部１４の投入口１４ａ近傍の内周面に縫合されており、内袋３の他端は、筒状排出部１８の排出口１８ａ近傍の内周面に縫合されており、外袋２の投入口１４ａおよび排出口１８ａを封止することによって内袋３の両端が封止される。【選択図】図３
0003191096.tif 000002
【実用新案登録請求の範囲】
【請求項１】
外袋と内袋との二重構造からなるフレキシブルコンテナであって、
前記外袋は、
筒状の外袋本体部と、
前記外袋本体部の一端に形成され中央部分に開口部を有する上面部と、
前記上面部の開口部に連通するように配置される筒状投入部と、
前記外袋本体部の他端に形成され中央部分に開口部を有する下面部と、
前記下面部の開口部に連通するように配置される筒状排出部とからなり、
前記内袋は、筒状をなし、
前記内袋の一端は、前記筒状投入部の投入口近傍の内周面に縫合されており、
前記内袋の他端は、前記筒状排出部の排出口近傍の内周面に縫合されており、
前記外袋の前記投入口および前記排出口を封止することによって前記内袋の両端が封止される、
ことを特徴とするフレキシブルコンテナ。
【請求項２】
前記筒状投入部の外周面には、前記投入口を封止する投入側封止紐が設けられており、
前記筒状排出部の外周面には、前記排出口を封止する排出側封止紐が設けられており、
前記内袋の一端は、前記投入側封止紐と前記投入口との間の第１領域に縫合されており、
前記内袋の他端は、前記排出側封止紐と前記排出口との間の第２領域に縫合されている、
ことを特徴とする請求項１に記載のフレキシブルコンテナ。
【請求項３】
前記外袋および前記内袋は、合成樹脂製の織布からなることを特徴とする請求項１または請求項２に記載のフレキシブルコンテナ。
【請求項４】
前記外袋は、角筒状からなり、
前記内袋は、円筒状からなる、
ことを特徴とする請求項１ないし請求項３の何れか１項に記載のフレキシブルコンテナ。
【請求項５】
前記筒状投入部、前記上面部、前記外袋本体部、前記下面部および前記筒状排出部は、それぞれがミシン縫いによって縫合されており、
前記外袋と前記内袋とは、前記ミシン縫いにより縫合されている、
ことを特徴とする請求項１ないし請求項４の何れか１項に記載のフレキシブルコンテナ。
【考案の詳細な説明】
【技術分野】
【０００１】
本考案は、フレキシブルコンテナに関する。
【背景技術】
【０００２】
各種原材料等の粉粒体、穀類、野菜類等を輸送、貯蔵する際に、フレキシブルコンテナが使用される場合がある。フレキシブルコンテナとしては、外袋と内袋との二重構造からなるものが知られていた（特許文献１参照）。外袋および内袋は、同じ形状からなり、本体部と、筒状投入部と、筒状排出部とを備えて構成されている。また、外袋および内袋は、ヒートシールを用いて固着されている。この二重構造のフレキシブルコンテナは、一重構造のものと比較して耐久性が高いので、搬送・保管時の安全性がより確保される。
【先行技術文献】
【特許文献】
【０００３】
【特許文献１】特許５２４２１２１号公報
【考案の概要】
【考案が解決しようとする課題】
【０００４】
フレキシブルコンテナに求められる機能は、使用する目的や収容される内容物によって異なるが、内容物が漏れないことが必須の要件であることにかわりはない。
ところで、特許文献１に記載されたフレキシブルコンテナは、外袋と内袋とが同じ形状をなし、それぞれが同様の箇所をミシン縫いされている。その為、内容物として粉粒体を投入した場合に、これらの縫い目を通って内容物が外部に漏れる可能性があった。
【０００５】
また、フレキシブルコンテナは、流通コストを安く抑えるために、耐久性を維持しつつも、製造が簡易で安価であることが望ましい。特許文献１に記載されたフレキシブルコンテナは、内袋と外袋とを同じ形状・サイズに加工しなければならない。その為、製造しにくいという問題があった。
【０００６】
本考案は、前記問題に鑑みてなされたものであり、内容物が外部に漏れる可能性が低い上に製造が簡易で安価であるフレキシブルコンテナを提供することを課題とする。
【課題を解決するための手段】
【０００７】
前記課題を解決するため、本考案に係るフレキシブルコンテナは、外袋と内袋との二重構造からなる。
前記外袋は、外袋本体部と、上面部と、筒状投入部と、下面部と、筒状排出部とからなる。外袋本体部は、筒状である。上面部は、前記外袋本体部の一端に形成されており、中央部分に開口部を有する。筒状投入部は、前記上面部の開口部に連通するように配置される。下面部は、前記外袋本体部の他端に形成されており、中央部分に開口部を有する。筒状排出部は、前記下面部の開口部に連通するように配置される。
前記内袋は、筒状である。前記内袋の一端は、前記筒状投入部の投入口近傍の内周面に縫合されている。前記内袋の他端は、前記筒状排出部の排出口近傍の内周面に縫合されている。
このフレキシブルコンテナでは、前記外袋の前記投入口および前記排出口を封止することによって前記内袋の両端が封止される。
【０００８】
本考案に係るフレキシブルコンテナにおいては、内袋が単一の部品からなる筒状をなす。したがって、内袋が複数の部品からなるものに比べて縫い目の量が少ない。その為、このフレキシブルコンテナは、内容物（特に、粉粒体）を投入した場合に、縫い目から内容物が外部に漏れる可能性が低い。
【０００９】
本考案に係るフレキシブルコンテナは、筒状の内袋の両端を外袋に縫合することで製造できる。したがって、内袋の成形および外袋への内袋の取り付けが簡易である。その為、このフレキシブルコンテナは、従来よりも製造コストが安い。
【００１０】
前記筒状投入部の外周面に、前記投入口を封止する投入側封止紐を設けるとともに、前記筒状排出部の外周面に、前記排出口を封止する排出側封止紐を設けてもよい。この場合、前記内袋の一端は、前記投入側封止紐と前記投入口との間の第１領域に縫合し、前記内袋の他端は、前記排出側封止紐と前記排出口との間の第２領域に縫合することが望ましい。
【００１１】
上記のようにすると、筒状投入部の投入口および筒状排出部の排出口を折り返すことで補強している場合に、内袋を外袋に取り付けるための縫い目がこの補強部分に重ならない。その為、このフレキシブルコンテナは、外袋への内袋の取り付けがより簡易である。
【００１２】
前記外袋および前記内袋が、合成樹脂製の織布にて構成することが好ましい。
【００１３】
合成樹脂製の織布からなる外袋および内袋は、耐久性が高いので縫い目においても破れ難く、したがって、種々の縫い方（例えば、ピッチが広い縫い方）を用いることが可能である。
【００１４】
なお、前記外袋が角筒状であり、前記内袋が円筒状であってもよい。
【００１５】
また、外袋を構成する前記筒状投入部、前記上面部、前記外袋本体部、前記下面部および前記筒状排出部は、ミシン縫いによって縫合し、前記外袋と前記内袋とは、前記ミシン縫いにより縫合すると好適である。
【００１６】
上記のようにすると、外袋の縫い方と同じ縫い方で内袋を外袋に取り付けるので、一つのミシンを用いて製造することが可能である。
【考案の効果】
【００１７】
本考案によれば、内容物が外部に漏れる可能性が低い上に製造が簡易で安価である。
【図面の簡単な説明】
【００１８】
【図１】本実施形態に係るフレキシブルコンテナの外観斜視図である。
【図２】本実施形態に係るフレキシブルコンテナの外観斜視図（一部切欠き）である。
【図３】本実施形態に係るフレキシブルコンテナの側面図（一部断面）である。
【図４】本実施形態に係るフレキシブルコンテナの平面図である。
【図５】本実施形態に係るフレキシブルコンテナの底面図である。
【図６】本実施形態に係るフレキシブルコンテナの封止・収容方法を説明するための図であり、図６（ａ）は第１工程を示し、図６（ｂ）は第２工程を示し、図６（ｃ）は第３工程を示すものである。
【図７】変形例に係るフレキシブルコンテナの外観斜視図である。
【考案を実施するための形態】
【００１９】
以下、本考案の実施をするための形態を、適宜図面を参照しながら詳細に説明する。
各図は、本考案を十分に理解できる程度に、概略的に示してあるに過ぎない。よって、本考案は、図示例のみに限定されるものではない。また、参照する図面において、本考案を構成する部材の寸法は、説明を明確にするために誇張して表現されている場合がある。なお、各図において、共通する構成要素や同様な構成要素については、同一の符号を付し、それらの重複する説明を省略する。
【００２０】
≪実施形態に係るフレキシブルコンテナの構成≫
図１ないし図５を参照して、実施形態に係るフレキシブルコンテナの構成について説明する。フレキシブルコンテナ１は、各種原材料等の粉粒体、穀類、野菜類等（以下では、「内容物」）を内部に収容するものである。フレキシブルコンテナ１は、内容物の重量に耐え得る強度を有していて、内容物の輸送や貯蔵に用いられる。フレキシブルコンテナ１は、全ての部品が柔軟性のある材料からなり、使用しないときには折り畳むことができる。
【００２１】
フレキシブルコンテナ１は、図３に示すように全体が筒状をなし、外袋２と、内袋３との二重構造からなる。外袋３の外面には、フレキシブルコンテナ１を吊り下げるための吊りベルト４が縫合されている。
【００２２】
フレキシブルコンテナ１は、吊りベルト４を用いて吊り下げられた状態で、上方から内容物が投入される。また、フレキシブルコンテナ１は、吊りベルト４を用いて吊り下げられた状態で、下方から内容物が排出される。以下では、フレキシブルコンテナ１の上方側を「投入側」と呼び、下方側を「排出側」と呼ぶ場合がある。以下では、フレキシブルコンテナ１の各構成について説明する。
【００２３】
＜外袋＞
外袋２は、内袋３の外側に縫合され、内袋３と一体になって内容物を内部に収容するものである。外袋２は、合成樹脂製の織布からなる複数のパーツを縫合することで製造されている。外袋２に使用される織布は、例えば、ポリエチレン製の縦糸（経糸）と横糸（緯糸）とを交互に上下に交差させた布（平織）であってよい。１インチあたりの縦糸、横糸の本数は、使用される条件などにもよるが、例えば、「１５×１５」程度にするのがよい。
【００２４】
外袋２は、主に、外袋本体部１０と、上面部１１と、上側外蓋１２と、上側内蓋１３と、投入部１４と、下面部１５と、下側外蓋１６と、下側内蓋１７と、排出部１８とを備えて構成されている。外袋２の形状は、吊りベルト４に関連する構成以外、上下対称（投入側と排出側とで対称構造）になっている。つまり、上面部１１と下面部１５との形状は同様であってよい。また、上側外蓋１２と下側外蓋１６との形状は同様であってよい。また、上側内蓋１３と下側内蓋１７との形状は同様であってよい。また、投入部１４と排出部１８との形状は同様であってよい。以下では、外袋２の各構成について説明する。
【００２５】
外袋本体部１０は、円筒状をなす。外袋本体部１０は、全体を通して同一の径である。なお、外袋本体部１０の径は、投入側と排出側とで異なってもよい。外袋本体部１０の投入側の端部（図１では上端）には上面部１１が形成されている。一方、外袋本体部１０の排出側の端部（図１では下端）には下面部１５が形成されている。外袋本体部１０と上面部１１および下面部１５とは、一体に形成されていてもよいし、別部材にて構成し縫合して一体化してもよい。
【００２６】
上面部１１は、外袋本体部１０の天井部分の機能を果たすものである。上面部１１は、円板状をなす。上面部１１の直径は、外袋本体部１０の上端側の外径と同じである。上面部１１の中央部分には、投入部１４を取り囲むように４個の上側外蓋１２，１２，・・・が形成されている。上側外蓋１２は、投入部１４を外袋２の内側に収納するものである。上側外蓋１２は、上面部１１の中央部分に十字状の切れ込みを入れることにより形成されている。上側外蓋１２を上方に持ち上げると、上面部１１の中央部分に開口部が出現する。
【００２７】
各上側外蓋１２は、台形形状をなす。上側外蓋１２の上部（台形の上辺）には、結束ロープ１２ａが通る貫通部１２ｂが形成されている。結束ロープ１２ａを用いてすべての上側外蓋１２の上部を一ヶ所に集めることによって、上側外蓋１２は、閉じた状態となる。
【００２８】
また、ある一つの上側外蓋１２の内側には、上側内蓋１３が形成されている。上側内蓋１３は、上側外蓋１２の内側（下側）において、畳んだ状態の投入部１４を覆うものである。上側内蓋１３は、矩形状をなす。上側内蓋１３の一辺は、上側外蓋１２の内側の底辺部分に縫合されている。上側内蓋１３は、結束ロープ１２ａを用いてすべての上側外蓋１２の上部を一ヶ所に集めたときに、隣り合う上側外蓋１２間の隙間を埋める。上側外蓋１２および上側内蓋１３を用いた投入部１４の収納については、詳細を後記する。
【００２９】
投入部１４は、内容物をフレキシブルコンテナ１の内部に投入する際に使用する。投入部１４は、筒状をなし、上部に内容物が投入される投入口１４ａを有する。また、投入部１４の下部は、上側外蓋１２の内側の底辺部分（上面部１１の開口部の周縁）に縫合されている。つまり、投入部１４は、上面部１１の開口部に連通するように配置される。投入部１４は、全体を通して同一の径であってもよいし、上部側と下部側とで径が異なってもよい。
【００３０】
投入部１４の外周面には、投入口１４ａを封止する封止紐１４ｂが縫合されている。封止紐１４ｂは、二本で一組をなす。封止紐１４ｂは、投入部１４を周回した状態で結ばれることで投入口１４ａを封止する。投入部１４の封止動作の詳細は後記する。
【００３１】
下面部１５は、外袋本体部１０の底部分の機能を果たすものである。下面部１５は、円板状をなす。下面部１５の直径は、外袋本体部１０の下端側の外径と同じである。下面部１５の中央部分には、排出部１８を取り囲むように４個の下側外蓋１６，１６，・・・が形成されている。下側外蓋１６は、排出部１８を外袋２の内側に収納するためのものである。下側外蓋１６は、下面部１５の中央部分に十字状の切れ込みを入れることにより形成されている。下側外蓋１６を下方に引き下げると、下面部１５の中央部分に開口部が出現する。
【００３２】
各下側外蓋１６は、台形形状をなす。下側外蓋１６の上部（台形の上辺）には、結束ロープ１６ａが通る貫通部１６ｂが形成されている。結束ロープ１６ａを用いてすべての下側外蓋１６の上部を一ヶ所に集めることによって、下側外蓋１６は、閉じた状態となる。
【００３３】
また、ある一つの下側外蓋１６の内側には、下側内蓋１７が形成されている。下側内蓋１７は、下側外蓋１６の内側（上側）において、畳んだ状態の排出部１８を覆うものである。下側内蓋１７は、矩形状をなす。下側内蓋１７の一辺は、下側外蓋１６の内側の底辺部分に縫合されている。下側内蓋１７は、結束ロープ１６ａを用いてすべての下側外蓋１６の上部を一ヶ所に集めたときに、隣り合う下側外蓋１６間の隙間を埋める。下側外蓋１６および下側内蓋１７を用いた排出部１８の収納については、詳細を後記する。
【００３４】
排出部１８は、内容物をフレキシブルコンテナ１の外部に排出する際に使用する。排出部１８は、筒状をなし、下部に内容物が排出される排出口１８ａを有する。また、排出部１８の上部は、下側外蓋１６の内側の底辺部分（下面部１５の開口部の周縁）に縫合されている。つまり、排出部１８は、下面部１５の開口部に連通するように配置される。排出部１８は、全体を通して同一の径であってもよいし、上部側と下部側とで径が異なってもよい。
【００３５】
排出部１８の外周面には、排出口１８ａを封止する封止紐１８ｂが縫合されている。封止紐１８ｂは、二本で一組をなす。封止紐１８ｂは、排出部１８を周回した状態で結ばれることで排出口１８ａを封止する。排出部１８の封止動作の詳細は後記する。
【００３６】
＜内袋＞
内袋３は、外袋２の内側に縫合され、外袋２と一体になって内容物を内部に収容するものである。内袋３は、合成樹脂からなる矩形状の織布を円筒状に縫合することにより製造されている。内袋３に使用される織布は、例えば、ポリエチレン製の縦糸（経糸）と横糸（緯糸）とを交互に上下に交差させた布（平織）であってよい。１インチあたりの縦糸、横糸の本数は、使用される条件などにもよるが、例えば、「８×８」〜「１５×１５」程度にするのがよい。
【００３７】
内袋３の上部には、内容物が投入される投入口３ａが形成されており、内袋３の下部には、内容物が排出される排出口３ｂが形成されている。内袋３は、外袋２に設置されていない状態において円筒状をなし（図２の仮想線で図示）、外袋２に設置されることによって外袋２の内部形状に沿う形状（上下がすぼんだ形状）となる（図２の実線で図示）。
【００３８】
内袋３の上部は、投入口３ａの外径が外袋２の投入部１４の内径と同じになるように折り畳まれた状態（複数のひだが連設された状態）で、投入部１４の内周面に全周に渡って縫合される。この縫合による縫い目を符号Ｓ１で示す。より好ましくは、内袋３の投入口３ａは、封止紐１４ｂと投入口１４ａとの間の第１領域１４ｃに縫合されるのがよい。投入口３ａは、封止紐１４ｂを用いて投入口１４ａを封止することによって封止（閉口）される。
【００３９】
内袋３の下部は、排出口３ｂの外径が外袋２の排出部１８の内径と同じになるように折り畳まれた状態（複数のひだが連設された状態）で、排出部１８の内周面に全周に渡って縫合される。この縫合による縫い目を符号Ｓ２で示す。より好ましくは、内袋３の排出口３ｂは、封止紐１８ｂと排出口１８ａとの間の第２領域１８ｃに縫合されるのがよい。排出口３ｂは、封止紐１８ｂを用いて排出口１８ａを封止することによって封止（閉口）される。
【００４０】
＜吊りベルト＞
吊りベルト４は、フレキシブルコンテナ１を吊り下げるためのものである。吊りベルト４は、二本で一組をなす。吊りベルト４は、下面部１５から外袋本体部１０にかけて縫合されている。フレキシブルコンテナ１は、吊りベルト４を用いて吊り下げられた状態で内容物が投入され、また、排出される。
以上で、フレキシブルコンテナ１の構成についての説明を終了する。
【００４１】
≪実施形態に係るフレキシブルコンテナの製造方法≫
フレキシブルコンテナ１は、外袋２と内袋３とを別々に製造した後に、外袋２と内袋３とを縫合することによって製造される。以下では、フレキシブルコンテナ１の製造における各工程を説明する。
【００４２】
＜外袋の製造工程＞
外袋２を製造する場合には、合成樹脂製の織布を切断や縫合して、外袋本体部１０、上面部１１、上側外蓋１２、上側内蓋１３、投入部１４、下面部１５、下側外蓋１６、下側内蓋１７および排出部１８を製造する。続いて、これらのパーツをそれぞれ縫合する。また、吊りベルト４を外袋本体部１０および下面部１５に縫合する。
【００４３】
外袋２の製造工程における縫合は、ミシンを用いて行うのがよい。縫合の仕方は、特に限定されず、内容物の種類や重さ等を考慮してピッチを適宜選択するようにする。また、外袋２の荷重が特にかかる部分は、多重に縫合したり、生地を巻き込んだ状態で縫合するのがよい。補強材を重ねた状態で縫合してもよい。これにより、外袋２の縫合部分が破れるのを防止できる。また、投入口１４ａや排出口１８ａは、生地を折り返した状態で縫合するのがよい。これにより、内容物に外袋２の破片が混入するのを防止できる。
【００４４】
＜内袋の製造工程＞
内袋３を製造する場合には、まず合成樹脂からなる矩形状の織布の対向する辺を縫合し、円筒状にする。内袋３の製造工程における縫合は、外袋２の製造工程で使用したミシンを用いて行うことができる。縫合の仕方は、特に限定されず、内容物の種類や重さ等を考慮してピッチを適宜選択するようにする。投入口３ａおよび排出口３ｂは、生地を折り返した状態で縫合するようにするのがよい。これにより、内容物に内袋３の破片が混入するのを防止できる。
【００４５】
＜外袋への内袋の取り付け工程＞
外袋２と内袋３を準備できたら、第１領域１４ｃに、内袋３の開口部３ａ付近を折り畳みながら（ひだを形成してすぼめながら）縫合するとともに、第２領域１８ｃに、内袋３の排出口３ｂ付近を折り畳みながら（ひだを形成してすぼめながら）縫合する。これにより、投入部１４の開口部１４ａや排出部１８の排出口１８ａの生地を折り返した状態で縫合した場合でも、内袋３を外袋２に縫合する部分がこの補強部分に重ならない。したがって、外袋２への内袋３の取り付けをより簡易に行うことができる。
【００４６】
外袋２への内袋３の取り付け工程における縫合は、外袋２および内袋３の製造工程で使用したミシンを用いて行うことができる。縫合の仕方は、特に限定されないが、外袋２の製造工程における縫合の仕方や内袋３の製造工程における縫合の仕方と同じにするのがよい。これにより、フレキシブルコンテナ１を一つのミシンを用いて製造することが可能になる。
以上で、実施形態に係るフレキシブルコンテナ１の製造方法についての説明を終了する。
【００４７】
≪実施形態に係るフレキシブルコンテナの使用方法≫
以下では、フレキシブルコンテナ１の使用方法について説明する。
＜投入方法＞
使用者は、まず排出部１８を封止・収容し、フレキシブルコンテナ１の投入側から内容物を投入する。そして、内容物の投入が完了した後に、投入部１４を封止・収容する。これにより、フレキシブルコンテナ１内に内容物が封入される。
【００４８】
ここで、投入部１４および排出部１８の封止・収容方法は、同様である。投入部１４を封止・収容する場合を例にして説明すると、使用者は、まず封止紐１４ｂを用いて投入口１４ａを封止する（図６（ａ）参照）。続いて、使用者は、閉じられた投入部１４の上部に上側内蓋１３を覆いかぶせる（図６（ｂ）参照）。そして、使用者は、結束ロープ１２ａを用いてすべての上側外蓋１２の上部を一ヶ所に集める（図６（ｃ）参照）。これにより、投入部１４は封止された状態で外袋２の内側に収容される。
【００４９】
＜排出方法＞
使用者は、投入方法とは逆の手順で排出部１８を開放する。これにより、内容物が外部に排出される。
以上で、実施形態に係るフレキシブルコンテナ１の使用方法についての説明を終了する。
【００５０】
以上のように、本実施形態に係るフレキシブルコンテナ１は、内袋３が単一の部品からなる筒状をなす。これにより、複数の部品からなるものに比べて縫い目の量が少ない。したがって、フレキシブルコンテナ１は、内容物（特に、粉粒体）を投入した場合に、縫い目から内容物が外部に漏れる可能性が低い。
【００５１】
また、本実施形態に係るフレキシブルコンテナ１は、筒状の内袋３の両端を外袋２に縫い合わせることで製造できる。これにより、内袋３の成形および外袋２への内袋３の取り付けが簡易である。したがって、フレキシブルコンテナ１は、従来よりも製造コストが安い。
【００５２】
［変形例］
以上、本考案の実施形態について説明したが、本考案はこれに限定されるものではなく、実用新案登録請求の範囲の趣旨を変えない範囲で実施することができる。実施形態の変形例を以下に示す。
【００５３】
本実施形態に係るフレキシブルコンテナ１の外袋本体部１０の形状は、円筒状であった。しかしながら、外袋本体部１０の形状はこれに限定されず、角筒状に形成されていてもよい。外袋本体部１０の形状が角筒状のフレキシブルコンテナ１Ａを図７に示す。
【００５４】
また、実施形態に係るフレキシブルコンテナ１の外袋２の形状は、吊りベルト４に関連する構成以外、上下対称（投入側と排出側とで対称構造）になっていた。しかしながら、外袋２の形状は、投入側と排出側とで対称構造でなくてもよい。例えば、投入口１４ａと排出口１８ａとで寸法を変更したり、上側外蓋１２と下側外蓋１６とで形状を変更してもよい。
【符号の説明】
【００５５】
１，１Ａ  フレキシブルコンテナ
２      外袋
３      内袋
４      吊りベルト
１０    外袋本体部
１１    上面部
１２    上側外蓋
１３    上側内蓋
１４    投入部（筒状投入部）
１５    下面部
１６    下側外蓋
１７    下側内蓋
１８    排出部（筒状排出部）
Ｓ１，Ｓ２  縫い目
【図１】
0003191096.tif 000003
【図２】
0003191096.tif 000004
【図３】
0003191096.tif 000005
【図４】
0003191096.tif 000006
【図５】
0003191096.tif 000007
【図６】
0003191096.tif 000008
【図７】
0003191096.tif 000009